(57)【要約】      （修正有）【課題】手首および前腕が固定された状態でパッテングの練習をすることができ、手首および前腕が一定の状態で固定されたパッテングが可能になり、パッテング技術の向上に資するパッティング矯正具を提供する。【解決手段】円筒形状の一部に切り欠き部ａ１を有する弧状体Ａとパタークラブ１３の軸部１２を着脱可能に嵌挿結合する管部Ｂとを備えたパッティング矯正具１０であって、管部Ｂが、切り欠き部ａ１を通貫して弧状体Ａに結合している。【選択図】図１
0003226715.tif 000002
【実用新案登録請求の範囲】
【請求項１】
円筒形状の一部に切り欠き部を有する弧状体（Ａ）と
パタークラブの軸部を着脱可能に嵌挿結合する管部（Ｂ）とを備えたパッティング矯正具であって、
前記管部（Ｂ）が、前記切り欠き部を通貫して前記弧状体（Ａ）に結合していることを特徴とするパッティング矯正具。
【請求項２】
前記弧状体（Ａ）が弾性材料から構成されていることを特徴とする請求項１に記載のパッティング矯正具。
【請求項３】
請求項１または２に記載のパッティング矯正具と、
長尺四角形の形状を有し、長尺方向に向かって目盛り線が等間隔に設けられたバックスイング距離およびボール距離測定用マット（Ｃ）とを含むことを特徴とするパッティング矯正セット。
【請求項４】
前記バックスイング距離およびボール距離測定用マットが、長尺辺と短尺辺との交点である頂点部分又はその近傍に突起物を有することを特徴とする請求項３に記載のパッティング矯正セット。
【考案の詳細な説明】
【技術分野】
【０００１】
本考案は、パッティング矯正具およびそれを用いたパッティング矯正セットに関する。より具体的には、手首および前腕が一定の状態で固定されたパッテング練習が可能になり、パッテング技術の向上に資するパッティング矯正具およびそれを用いたパッティング矯正セットに関する。
【背景技術】
【０００２】
一般に、ゴルフをプレーする際に、ゴルフクラブの正しいスイングフォームを習得することが、スコア向上に資する。特に、ゴルフコースのグリーンエリアにボールが到達した後は、プレイヤーは、パタークラブを使ってボールを打ち（パッティング）、カップインを狙うが、パッティングの際の、距離感、方向性、グリーンの特性を考慮しながらパタークラブを正しくスイング（パッティング）することは、特に重要である。
【０００３】
パッティングの適切なフォームとしては、種々提案されているが、ペンデュラム  （Ｐｅｎｄｕｌｕｍ）モーションと呼ばれるフォームが一般的であり、以下の点が留意される。
（１）まず、目、ボールおよびカップが一直線になり、かつ、ボールがグリーンのライン上でプレイヤーの目の真下乃至カップ寄りに位置するようにボールを置く。
（２）次いで、肩を横に回転させるのではなく、縦に、いわばロッキングチェアーのように動かし、腕を固定させたまま、柱時計の振り子のイメージで動かす。ここで、ゆったりとしたテンポで、パタークラブのヘッドを急加速させないようにボールを打つために、テイクバックの大きさとフォロースルーの大きさを同じにする。テイクバックが大き過ぎれば、ボールを打つ前にクラブヘッドが減速せず、一方で、テイクバックが小さいとテンポの速いストロークになリ易く、いづれの場合も正確かつ安定したパッテングが困難になるためである。
【０００４】
正しいフォームを習得するため、ゴルフフォームの教本が販売されたり、ゴルフスクールにおいてインストラクターによりサービスが提供されたりしている。
【０００５】
しかしながら、正しいフォームの習得は、一般に困難であり、その習得期間も長期に亘り、各個人の資質によるところも大きい。
【０００６】
このような状況の下、個人で継続的に練習ができるように、各種ゴルフスイング練習具が提案されている。たとえば、特許文献１では、「一方の腕に巻着可能な腕帯部と、他方の腕を保持及び着脱可能に弧状に形成された腕受け部と、前記腕帯部に一方の端部が接続され、前記腕受け部に他方の端部が接続され前記腕帯部と前記腕受け部の距離を一定に保持する軸部とを有することを特徴とするゴルフ練習器」が開示されている。
【先行技術文献】
【特許文献】
【０００７】
【特許文献１】実用新案登録３１２５９３７号公報
【考案の概要】
【考案が解決しようとする課題】
【０００８】
しかしながら、特許文献１に開示されたゴルフ練習器では、軸部の存在により、練習者の腕に巻着された腕帯部と腕受け部との距離が一定に保持されている。すなわち、正しいフォームを習得することに資するものの、上記距離が全く変わらないためにかえって、練習者にとっては不自然なパッティングフォームとなりやすい。そのため、正しいフォームを追求するあまりに、スムーズなパッティングができなくなってしまうことがある。また、ストローク時には、手首やクラブを握る両手の平が動いてしまい、パッテングの安定性に改善の余地がある。
【０００９】
そこで、本考案者は、従来のゴルフ練習器の課題点およびその解決手段について、鋭意検討した結果、パッテングフォーム（特に、クラブを握る両手と上腕部で形成されるフォーム）を一定に維持する部材に特定の材質や形状を採用することで、理想的なフォームでなくても、ある程度正しい（十分満足な結果を生み出す）フォームを習得するとともに、パッティング練習をスムーズに継続することができることを見出した。
【００１０】
すなわち、本考案は、使用者がパタークラブのグリップ部を握る際に、手首ないし前腕が、弾性材料で構成された弧状体にあてがう（接触する）ことで、手首および前腕が固定された状態でパッテングの練習をすることができ、手首および前腕が一定の状態で固定されたパッテングが可能になり、パッテング技術の向上に資するパッティング矯正具を提供することを目的とする。
【課題を解決するための手段】
【００１１】
本考案に係るパッティング矯正具は、円筒形状の一部に切り欠き部を有する弧状体（Ａ）とパタークラブの軸部を着脱可能に嵌挿結合する管部（Ｂ）とを備えたパッティング矯正具であって、前記管部（Ｂ）が、前記切り欠き部を通貫して前記弧状体（Ａ）に結合していることを特徴とする。
【００１２】
本考案に係るパッティング矯正具において、前記弧状体（Ａ）が弾性材料から構成されていることが好ましい。
【００１３】
また、本考案に係るパッティング矯正セットは、本考案に係るパッティング矯正具と、長尺四角形の形状を有し、長尺方向に向かって目盛り線が等間隔に設けられたバックスイング距離およびボール距離測定用マットとを含むことを特徴とする。
【００１４】
本考案に係るパッティング矯正セットにおいて、前記バックスイング距離およびボール距離測定用マットが、長尺辺と短尺辺との交点である頂点部分又はその近傍に突起物を有することが好ましい。
【図面の簡単な説明】
【００１５】
【図１】図１は、本考案に係る本考案に係るパッティング矯正具の一態様を示すための図である。
【００１６】
【図２】図２は、本考案に係るパッティング矯正セットの構成部材であるバックスイング距離およびボール距離測定用マットの一態様を示すための図である。
【考案を実施するための形態】
【００１７】
以下、本考案に係るパッティング矯正具およびパッティング矯正セットについて、適宜図面を参照しつつ説明する。なお、図１は、本考案に係るの一態様を示しているにすぎず、本考案に係る技術的範囲は、これに限定されるものではない。
【００１８】
図１は、本考案に係るパッティング矯正具を例示する。図１に示されるように、本考案に係るパッティング矯正具は、弧状体Ａ、管部Ｂを必須構成要件として備えているが、必要に応じてその他の部材を備えていてもよい。
【００１９】
パッティング矯正具は、図１に示されるように、管部Ｂにパタークラブの軸部を着脱可能に嵌挿結合して使用される。
【００２０】
使用者は、使用時において、図１のパタークラブの軸部のうち、グリップ部分１１を握ることになるが、その際、両腕（具体的には前腕部分）が弧状体Ａに接触するとともに、両腕の距離が一定に維持される（すなわち、パッティングフォームが固定される）。
【００２１】
また、図１の付番ａに示されるように、弧状体Ａは、一部に切り欠き部を有する。すなわち、弧状体Ａの形状は、Ｃ字形状となっている。そのため、使用時において、ある程度の「遊び」があるものの、両腕の距離が一定に維持され、ある程度正しい（十分満足な結果を生み出す）フォームを維持することができる。また、無理のない（自然な）スムーズなパッティング練習が可能となる。
【００２２】
また、一層スムーズなパッティング練習を可能にするという観点からは、弧状体Ａは、弾性材料（可撓性材料）で構成されていることが好ましい。ここで弾性材料（可撓性材料）としては、プラスチック、ゴムなどが挙げられる。
【００２３】
管部Ｂは、パタークラブ１３の軸部１２を着脱可能に嵌挿結合することを特徴としている。ここで、着脱可能に嵌挿結合とは、たとえば、管部Ｂの内径が、パタークラブの軸部の内径よりも若干大きく、はめ込むことができる構造としたり、あるいは、管部Ｂの内径側に弾性部材（ゴムなど）が設けられてパタークラブの軸部が挿し込まれた際に、当該弾性部材によって固定されるような構造であってもよい。
【００２４】
また、図１に示されるように、管部Ｂが、前記切り欠き部ａを通貫して（すなわち、切り欠き部の開口部分を通って）弧状体Ａに結合している。
【００２５】
なお、管部の材質は特に限定されず、たとえば、管部Ｂは、金属、プラスチック、木材などで構成されているものであってもよい。
【００２６】
また、本考案に係るパッティング矯正セットは、上記のパッティング矯正具と、図２の付番Ｃに示されるように、長尺四角形の形状を有し、長尺方向に向かって目盛り線２１が等間隔（たとえば、１０ｍｍ間隔）に設けられたバックスイング距離およびボール距離測定用マット（以下、単に、測定用マットともいう）を含む。このような測定用マット（Ｃ）を使用することで、ゴルフボール記載置マーク２３からバックスイングの距離とゴルフボールの転がり停止の位置（到達距離）を確認することができるとともに、バックスイングの大きさとゴルフ到達距離との関係性を確認しながら練習することができる。
【００２７】
ここで、測定用マットは、透明な材質で構成されていることが好ましい。芝生上のみならず、どの場所においては違和感を低減することができるためである。
【００２８】
また、測定用マットの大きさは、特に限定されないが、通常、長尺方向に３８０ｍｍ、短尺（幅）方向に１００ｍｍの長方形状である。
【００２９】
さらには、パッテングストローク時の操作性を確認しながら練習できるという観点からは、図２の付番２２に示されるように、長尺方向に、ゴルフボールの到達目標地点の直線方向を示すライン（ガイドライン）が施されていてもよい。
【００３０】
また、前記バックスイング距離およびボール距離測定用マット（Ｄ）が、長尺辺と短尺辺との交点である頂点部分又はその近傍に突起物を有することが好ましい。プレイヤーは、突起物に接触しないようにパッティングすることにより、ボールを、順回転（縦回転）に転がして、目標地点に向かい素直な（直線的な）軌道で目標地点に到達させる練習をすることができる
【産業上の利用可能性】
【００３１】
本考案によれば、使用者がパタークラブのグリップ部を握る際に、手首ないし前腕が、弾性材料で構成された弧状体にあてがう（接触する）ことで、手首および前腕が、正しいフォームで固定された状態において、パッテングの練習をすることができ、継続的に練習することにより、手首および前腕が一定の状態で固定されたパッテングが可能になり、パッテング技術の向上に資するパッティング矯正具を提供することができる。
【符号の説明】
【００３２】
１０：本考案に係るパッティング矯正具
Ａ：弧状体
Ｂ：管部
ａ：切り欠き部
１１：グリップ部
１２：軸部
１３：パタークラブ
Ｃ：バックスイング距離およびボール距離測定用マット
２１：目盛り線
２２：ガイドライン
２３：ゴルフボール記載置マーク
【図１】
0003226715.tif 000003
【図２】
0003226715.tif 000004